(57)【要約】【課題】複数の運転設定をリモコンに登録する場合に、ユーザの作業が非常に煩雑である。【解決手段】本発明の空気調和システム１では、空気調和サーバ３が、空気調和機の運転設定についての運転設定情報を記憶する記憶部５２を有している。ユーザは、端末装置４を空気調和サーバ３に接続して、運転設定情報を空気調和サーバ３から端末装置４にダウンロードして、その運転設定情報を端末装置４の記憶部６２に記憶させることができる。【選択図】図１
2014224671.tif 000002
【特許請求の範囲】
【請求項１】
サーバと、前記サーバとの間において情報の通信を行う端末装置とを備えた空気調和システムであって、
前記サーバは、空気調和機の運転設定についての運転設定情報を記憶するサーバ記憶手段を有し、
前記端末装置は、前記サーバ記憶手段に記憶された運転設定情報が前記サーバから取得されたときに、その運転設定情報を記憶する端末記憶手段を有していることを特徴とする空気調和システム。
【請求項２】
前記端末装置は、
前記端末記憶手段に記憶された複数の運転設定情報を表示画面に表示する表示制御手段と、
前記端末記憶手段に記憶された複数の運転設定情報についての優先度を決定する優先度決定手段とを備え、
前記表示制御手段は、複数の運転設定情報を前記優先度決定手段で決定された優先度に基づいて並べて表示画面に表示することを特徴とする請求項１に記載の空気調和システム。
【請求項３】
前記サーバは、複数の運転設定情報についてのランキング情報を記憶するランキング情報記憶手段を有し、
前記優先度決定手段は、前記サーバから取得したランキング情報に基づいて優先度を決定することを特徴とする請求項２に記載の空気調和システム。
【請求項４】
前記端末装置は、前記サーバから取得したランキング情報の一部を選択する選択手段を有し、
前記優先度決定手段は、前記選択手段で選択された選択ランキング情報に基づいて優先度を決定することを特徴とする請求項３に記載の空気調和システム。
【請求項５】
前記端末装置は、
前記第２記憶手段に記憶された複数の運転設定情報の中からお奨め情報を決定するお奨め決定手段を備え、
前記表示制御手段は、前記お奨め決定手段で決定されたお奨め情報が識別できるように複数の運転設定情報を表示画面に表示することを特徴とする請求項１−４のいずれかに記載の空気調和システム。
【請求項６】
前記サーバは、複数の運転設定情報についてのランキング情報を記憶するランキング情報記憶手段を有し、
前記お奨め決定手段は、前記サーバから取得したランキング情報に基づいてお奨め情報を決定することを特徴とする請求項５に記載の空気調和システム。
【請求項７】
前記端末装置は、前記サーバから取得したランキング情報の一部を選択する選択手段を有し、
前記お奨め決定手段は、前記選択手段で選択された選択ランキング情報に基づいてお奨めを決定することを特徴とする請求項６に記載の空気調和システム。
【請求項８】
前記サーバは、空気調和機の運転設定についての新規情報を記憶する新規情報記憶手段を有し、
前記表示制御手段は、前記新規情報記憶手段に記憶された新規情報が前記サーバから取得されたときに、その新規情報を表示画面に表示することを特徴とする請求項１−７のいずれかに記載の空気調和システム。
【請求項９】
前記端末装置は、表示画面に触れることによって表示画面に表示された運転設定情報に対応した運転の開始操作が行われたときに、空気調和機に対して運転開始信号を供給する通信手段を有していることを特徴とする請求項１−８のいずれかに記載の空気調和システム。
【請求項１０】
前記端末記憶手段が、運転設定情報をそれに対応した画像情報とともに記憶しており、
前記表示制御手段は、運転設定情報に対応した画像情報を表示画面に表示することを特徴とする請求項１−９のいずれかに記載の空気調和システム。
【請求項１１】
前記表示制御手段は、複数の運転設定情報にそれぞれ対応した複数の画像情報を表示画面に同時に表示することを特徴とする請求項１０に記載の空気調和システム。
【発明の詳細な説明】
【技術分野】
【０００１】
本発明は、サーバと、サーバとの間において情報の通信を行う端末装置とを備えた空気調和システムに関する。
【背景技術】
【０００２】
従来の空気調和機において、運転モード（冷房運転・暖房運転・送風運転等）、設定温度、風量及び風向き等の種々の設定については、リモコンによって設定されるのが一般的である。
【先行技術文献】
【特許文献】
【０００３】
【特許文献１】特開２００９−１８０４６０
【発明の概要】
【発明が解決しようとする課題】
【０００４】
そして、ユーザが、例えば第１運転設定（冷房運転、設定温度２８℃、風量大、風向き水平方向）や、第２運転設定（冷房運転、設定温度３０℃、風量自動、風向き自動）などの複数の運転設定を、リモコンのボタンにメモリー登録することが考えられる。この場合には、ユーザは、空気調和機の運転を開始するときに、種々の設定をしなくても、リモコンにおいてメモリー登録されたボタンを押すだけで、その運転設定に対応した運転を開始することができる。しかし、複数の運転設定をリモコンにメモリー登録するためには、運転設定のそれぞれについて、複数の設定（例えば、運転モード、設定温度、風量、風向き等）を行う必要があって、ユーザの作業が非常に煩雑である。
【０００５】
そこで、本発明の目的は、ユーザが煩雑な設定を行わなくても所定の運転設定に対応した空気調和機の運転を開始できる空気調和システムを提供することである。
【課題を解決するための手段】
【０００６】
第１の発明にかかる空気調和システムは、サーバと、前記サーバとの間において情報の通信を行う端末装置とを備えた空気調和システムであって、前記サーバは、空気調和機の運転設定についての運転設定情報を記憶するサーバ記憶手段を有し、前記端末装置は、前記サーバ記憶手段に記憶された運転設定情報を前記サーバから取得したときに、その運転設定情報を記憶する端末記憶手段を有していることを特徴とする。
【０００７】
この空気調和システムでは、空気調和機の運転設定についての運転設定情報がサーバに記憶されており、その運転設定情報をサーバから端末装置に取得して、その運転設定情報を端末装置に記憶させることができる。したがって、ユーザが煩雑な設定を行わなくても、サーバから運転設定情報をダウンロードするだけで、運転設定情報を端末装置に記憶させることができる。
【０００８】
第２の発明にかかる空気調和システムは、第１の発明にかかる空気調和システムにおいて、前記端末装置は、前記端末記憶手段に記憶された複数の運転設定情報を表示画面に表示する表示制御手段と、前記端末記憶手段に記憶された複数の運転設定情報についての優先度を決定する優先度決定手段とを備え、前記表示制御手段は、複数の運転設定情報を前記優先度決定手段で決定された優先度に基づいて並べて表示画面に表示することを特徴とする。
【０００９】
この空気調和システムでは、ダウンロードした運転設定情報を優先度に基づいて並べて表示画面に表示できる。
【００１０】
第３の発明にかかる空気調和システムは、第２の発明にかかる空気調和システムにおいて、前記サーバは、複数の運転設定情報についてのランキング情報を記憶するランキング情報記憶手段を有し、前記優先度決定手段は、前記サーバから取得したランキング情報に基づいて優先度を決定することを特徴とする。
【００１１】
この空気調和システムでは、ダウンロードした運転設定情報を、サーバから取得したランキング情報によって決定した優先度に基づいて並べて表示画面に表示できる。
【００１２】
第４の発明にかかる空気調和システムは、第３の発明にかかる空気調和システムにおいて、前記端末装置は、前記サーバから取得したランキング情報の一部を選択する選択手段を有し、前記優先度決定手段は、前記選択手段で選択された選択ランキング情報に基づいて優先度を決定することを特徴とする。
【００１３】
この空気調和システムでは、ダウンロードしたランキング情報の中から一部の情報を選択して、その選択ランキング情報によって決定した優先度に基づいて並べて表示画面に表示できる。
【００１４】
第５の発明にかかる空気調和システムは、第１−第４の発明のいずれかにかかる空気調和システムにおいて、前記端末装置は、前記第２記憶手段に記憶された複数の運転設定情報の中からお奨め情報を決定するお奨め決定手段を備え、前記表示制御手段は、前記お奨め決定手段で決定されたお奨め情報が識別できるように複数の運転設定情報を表示画面に表示することを特徴とする。
【００１５】
この空気調和システムでは、ダウンロードした運転設定情報の中から決定されたお奨め情報を表示画面に表示できる。
【００１６】
第６の発明にかかる空気調和システムは、第５の発明にかかる空気調和システムにおいて、前記サーバは、複数の運転設定情報についてのランキング情報を記憶するランキング情報記憶手段を有し、前記お奨め決定手段は、前記サーバから取得したランキング情報に基づいてお奨め情報を決定することを特徴とする。
【００１７】
この空気調和システムでは、ダウンロードした運転設定情報を、サーバから取得したランキング情報によって決定したお奨め情報を表示画面に表示できる。
【００１８】
第７の発明にかかる空気調和システムは、第６の発明にかかる空気調和システムにおいて、前記端末装置は、前記サーバから取得したランキング情報の一部を選択する選択手段を有し、前記お奨め決定手段は、前記選択手段で選択された選択ランキング情報に基づいてお奨めを決定することを特徴とする。
【００１９】
この空気調和システムでは、ダウンロードしたランキング情報の中から一部の情報を選択して、その選択ランキング情報によって決定したお奨め情報を表示画面に表示できる。
【００２０】
第８の発明にかかる空気調和システムは、第１−第７の発明のいずれかにかかる空気調和システムにおいて、前記サーバは、空気調和機の運転設定についての新規情報を記憶する新規情報記憶手段を有し、前記表示制御手段は、前記新規情報記憶手段に記憶された新規情報が前記サーバから取得されたときに、その新規情報を表示画面に表示することを特徴とする。
【００２１】
この空気調和システムでは、空気調和機の運転設定についての新規情報をサーバから取得して表示画面に表示できる。
【００２２】
第９の発明にかかる空気調和システムは、第１−第８の発明のいずれかにかかる空気調和システムにおいて、前記端末装置は、表示画面に触れることによって表示画面に表示された運転設定情報に対応した運転の開始操作が行われたときに、空気調和機に対して運転開始信号を供給する通信手段を有していることを特徴とする。
【００２３】
この空気調和システムでは、サーバから運転設定情報をダウンロードした後で、その運転設定情報が表示画面に表示された状態で、ユーザが表示画面に触れて操作することで、その運転設定情報に対応した空気調和機の運転開始、運転停止、運転設定の変更を容易に行うことができる。
【００２４】
第１０の発明にかかる空気調和システムは、第１−第９の発明のいずれかにかかる空気調和システムにおいて、前記第２記憶手段が、運転設定情報をそれに対応した画像情報とともに記憶しており、前記表示制御手段は、運転設定情報に対応した画像情報を表示画面に表示することを特徴とする。
【００２５】
この空気調和システムでは、サーバから運転設定情報をダウンロードすると、その運転設定情報に対応した画像情報が表示画面に表示されるので、ユーザが運転設定情報の内容を把握しやすい。
【００２６】
第１１の発明にかかる空気調和システムは、第１０の発明のいずれかにかかる空気調和システムにおいて、前記表示制御手段は、複数の運転設定情報にそれぞれ対応した複数の画像情報を表示画面に同時に表示することを特徴とする。
【００２７】
この空気調和システムでは、サーバから運転設定情報をダウンロードすると、複数の運転設定情報にそれぞれ対応した複数の画像情報が表示画面に同時に表示されるので、ユーザは複数の画像情報からいずれかを選択するだけで、その画像情報に対応した空気調和機の運転を容易に開始できる。
【発明の効果】
【００２８】
以上の説明に述べたように、本発明によれば、以下の効果が得られる。
【００２９】
第１の発明では、空気調和機の運転設定についての運転設定情報がサーバに記憶されており、その運転設定情報をサーバから端末装置に取得して、その運転設定情報を端末装置に記憶させることができる。したがって、ユーザが煩雑な設定を行わなくても、サーバから運転設定情報をダウンロードするだけで、運転設定情報を端末装置に記憶させることができる。
【００３０】
第２の発明では、ダウンロードした運転設定情報を優先度に基づいて並べて表示画面に表示できる。
【００３１】
第３の発明では、ダウンロードした運転設定情報を、サーバから取得したランキング情報によって決定した優先度に基づいて並べて表示画面に表示できる。
【００３２】
第４の発明では、ダウンロードしたランキング情報の中から一部の情報を選択して、その選択ランキング情報によって決定した優先度に基づいて並べて表示画面に表示できる。
【００３３】
第５の発明では、ダウンロードした運転設定情報の中から決定されたお奨め情報を表示画面に表示できる。
【００３４】
第６の発明では、ダウンロードした運転設定情報を、サーバから取得したランキング情報によって決定したお奨め情報を表示画面に表示できる。
【００３５】
第７の発明では、ダウンロードしたランキング情報の中から一部の情報を選択して、その選択ランキング情報によって決定したお奨め情報を表示画面に表示できる。
【００３６】
第８の発明では、空気調和機の運転設定についての新規情報をサーバから取得して表示画面に表示できる。
【００３７】
第９の発明では、サーバから運転設定情報をダウンロードした後で、その運転設定情報が表示画面に表示された状態で、ユーザが表示画面に触れて操作することで、その運転設定情報に対応した空気調和機の運転開始、運転停止、運転設定の変更を容易に行うことができる。
【００３８】
第１０の発明では、サーバから運転設定情報をダウンロードすると、その運転設定情報に対応した画像情報が表示画面に表示されるので、ユーザが運転設定情報の内容を把握しやすい。
【００３９】
第１１の発明では、サーバから運転設定情報をダウンロードすると、複数の運転設定情報にそれぞれ対応した複数の画像情報が表示画面に同時に表示されるので、ユーザは複数の画像情報からいずれかを選択するだけで、その画像情報に対応した空気調和機の運転を容易に開始できる。
【図面の簡単な説明】
【００４０】
【図１】本発明の第１実施形態に係る空気調和システムを示す図である。
【図２】空気調和サーバに記憶された運転設定情報の例を示す図である。
【図３】空気調和サーバからダウンロードされた複数の画像情報が表示された表示画面を示す図である。
【図４】空気調和サーバからダウンロードされた運転設定情報が表示された表示画面を示す図である。
【図５】本発明の第２実施形態に係る空気調和システムを示す図である。
【図６】複数のアイコンの並べ替え動作についてのフローチャートである。
【図７】複数のアイコンの並べ替え動作のときの表示画面の一例を示す図である。
【図８】本発明の第３実施形態に係る空気調和システムを示す図である。
【図９】お奨め表示動作についてのフローチャートである。
【図１０】お奨め表示動作のときの表示画面の一例を示す図である。
【図１１】お奨め表示動作のときの表示画面の他の例を示す図である。
【発明を実施するための形態】
【００４１】
以下、本発明の実施の形態の空気調和システムについて詳細に説明する。
【００４２】
（第１実施形態）
図１に示すように、本実施形態の空気調和システム１は、室内に設置される室内機２ａおよび室外に設置される室外機２ｂを有する空気調和機２と、空気調和サーバ３と、空気調和機２および空気調和サーバ３との間でそれぞれ情報の通信を行う端末装置４とを備えている。
【００４３】
空気調和機２は、圧縮機１０と、四方弁１１、室外熱交換器と、膨張弁と、室内熱交換器１２とを接続した冷媒回路を備えている。空気調和機１は、冷房運転および暖房運転が可能である。冷房運転が行われる場合は、圧縮機１０から吐出された冷媒が四方弁１１から室外熱交換器、膨張弁、室内熱交換器１２へと順に流れ、室内熱交換器１２を経た冷媒が四方弁１１を通って圧縮機１０に戻る冷房サイクルが形成される。すなわち、室外熱交換器が凝縮器、室内熱交換器１２が蒸発器として機能する。一方、暖房運転が行われる場合は、四方弁１１が切換わることにより、圧縮機１０から吐出される冷媒が四方弁１１から室内熱交換器１２、膨張弁、室外熱交換器へと順に流れ、室外熱交換器を経た冷媒が四方弁１１を通って圧縮機１０に戻る暖房サイクルが形成される。すなわち、室内熱交換器１２が凝縮器、室外熱交換器が蒸発器として機能する。
【００４４】
室内機２ａは、上面に室内空気の吸込口を有し、前面下部に空調用空気の吹出口とを有している。室内機２ａ内には、吸込口から吹出口に向かって空気流路が形成され、この空気流路には、室内熱交換器と、横流型の室内ファン１８が配置される。したがって、室内ファン１８が回転すると、室内空気が吸込口から室内機２ａ内に吸込まれ、室内熱交換器を通った後で、吹出口から吹き出される。
【００４５】
室内機２ａの吹出口は、室内機２ａの下端部において、室内機２ａの長手方向に延びている。そして、吹出口には、吹き出される風の風向を変更する風向板２０（上下風向板および左右風向板を含む）が配置されている。上下風向板は、上下方向に揺動して、上下方向について風向を変更する。左右風向板は、左右方向に揺動して、左右方向について風向を変更する。室内機２ａでは、風向板２０（上下風向板および左右風向板）を、それぞれ、所定の位置で固定させたり、所定範囲においてスイング動作を行うことができる。
【００４６】
室内機２ａは、室内ファン１８および風向板２０を制御する室内制御部３０を有している。室内制御部３０は、記憶部３１と、情報の通信を行う通信部３２に接続されている。記憶部３１は、例えば室内機２ａの運転についての情報を記憶するものである。通信部３２は、室内機２ａから端末装置４に対して情報を供給するとともに、端末装置４から供給された情報を受けることができる。通信部３２は、例えば無線LAN、ZigBee、bluetooth、光通信などであってよい。したがって、室内制御部３０は、記憶部３１に記憶された情報に基づいて、室内ファン１８の回転数、風向板２０の固定位置や動作を制御する。また、室内制御部３０は、記憶部３１に記憶された情報を端末装置４に対して通信したり、端末装置４から供給された情報を記憶部３１に記憶したりする。
【００４７】
室外機２ｂは、圧縮機１０、四方弁１１、室外熱交換器および膨張弁を有しており、圧縮機１０および四方弁１１を制御する室外制御部３６を有している。室外制御部３６は、情報の通信を行う通信部３７に接続されている。通信部３７は、室内機２ａとの間で情報の通信を行うことができる。したがって、室外制御部３６は、室内機２ａから供給された情報に基づいて、圧縮機１０の周波数や四方弁１１の動作を制御する。
【００４８】
空気調和サーバ３は、サーバ制御部５０と、空気調和機の運転設定についての運転設定情報を記憶するサーバ記憶部５２と、情報の通信を行う通信部５４とを有している。空気調和機の運転設定とは、例えばシーン、季節、人、地域ごとなど様々な設定条件の空調運転プログラムであって、それぞれに対して、運転モード（冷房運転・暖房運転・送風運転等）、設定温度、設定湿度、風量、風向、入タイマー、切タイマー等の設定があらかじめ設定されている。サーバ記憶部５２は、空気調和機の複数の運転設定についての運転設定情報を記憶しているが、図２では、２つの運転設定（爽やか除湿、ウィルス対策）について例示している。詳しくは、（爽やか除湿）の運転設定は、室内機２ａがある部屋の空気を除湿された状態にする場合に適した運転設定であって、（ウィルス対策）の運転設定は、インフルエンザが流行る季節に室内機２ａがある部屋の空気に含まれるウィルスを抑制する場合に適した運転設定である。そして、サーバ記憶部５２は、複数の運転設定についての運転設定情報を、そのイメージに合ったビジュアルアイコン（以下、アイコンという：画像情報）とセットにして記憶している。したがって、ユーザが空気調和サーバ３に記憶された複数の運転設定を閲覧する場合や、ユーザが空気調和サーバ３から運転設定情報をダウンロードした場合には、運転設定のイメージに合ったアイコンが端末装置４の表示画面６０に表示される。
【００４９】
端末装置４は、例えばスマートフォンなどのカメラ付き液晶端末であって、表示画面６０を有している。端末装置４は、制御部６１を有しており、制御部６１は、表示画面６０を制御する表示制御部６１ａを有している。制御部６１は、端末記憶部６２と、操作検知部６３と、情報の通信を行う通信部６５とに接続されている。
【００５０】
端末記憶部６２は、例えば空気調和サーバ３からダウンロードした運転設定情報やアイコン（画像情報）を記憶する。操作検知部６３は、ユーザが表示画面６０に触れて、運転設定の選択操作を行ったり、運転設定に対応した運転の開始操作を行った場合に、その操作を検知する。通信部６５は、端末装置３から室内機２ａに対して情報を供給するとともに、空気調和サーバ３から供給された情報を受けることができる。したがって、表示制御部６１ａは、空気調和サーバ３からダウンロードした運転設定情報やアイコン（画像情報）を表示画面６０に表示するとともに、制御部６１は、操作検知部６３によって検知された操作についての信号（例えば運転開始信号や運転停止信号）を通信部６５を介して室内機２ａに供給する。また、端末装置４において、端末記憶部６２に記憶した運転設定情報やアイコン（画像情報）は、ユーザが不要になれば削除することができる。詳しくは、ユーザが表示部６０を操作し、編集モードを呼び出し、削除したい設定のアイコンを選択し決定を行うことで端末記憶部６２から、運転設定情報やアイコンを削除できる。
【００５１】
（空気調和機の運転開始動作）
本実施形態の空気調和システム１において、端末装置４によって、所定の運転設定に対応した運転設定情報を空気調和サーバ３からダウンロードして、その運転設定に対応した運転を開始する場合の手順について説明する。
【００５２】
まず、ユーザは、端末装置４を空気調和サーバ３に接続して、空気調和サーバ３に記憶された複数の運転設定情報を閲覧する。このとき、端末装置４の表示画面６０には、サーバ記憶部５２に記憶された複数の運転設定情報がそれぞれに対応したアイコンとして表示される。そして、ユーザが、アイコンを選択すると、それに対応した運転設定の詳細内容が表示される。ユーザは、運転設定の詳細内容を見たうえで、ほしい運転設定（運転設定情報やアイコン（画像情報））を空気調和サーバ３から端末装置４にダウンロードする。すると、空気調和サーバ３からダウンロードされた運転設定情報やアイコンが、端末装置４の端末記憶部６２に記憶される。
【００５３】
そして、ダウンロードした運転設定に対応したアイコンが端末装置４の表示画面６０に表示される。端末装置４の端末記憶部６２に、複数の運転設定情報およびアイコンが記憶されている場合には、その複数のアイコンの全てが端末装置４の表示画面６０に同時に表示される。このとき、複数のアイコンは、例えば、ダウンロードした順序にしたがって並べて表示される。図３では、端末装置４の端末記憶部６２に、（爽やか除湿）および（ウィルス対策）に対応した運転設定情報およびアイコンが記憶されている場合に、（爽やか除湿）および（ウィルス対策）に対応したアイコンが端末装置４の表示画面６０に表示された状態を示している。そして、ユーザが、複数のアイコンのいずれかを選択して、そのアイコンが表示された部分を押すと、押されたアイコンが選択される。すると、その選択されたアイコンに対応した運転設定情報が端末装置４の表示画面６０にされる。図４では、（ウィルス対策）に対応したアイコンが選択された場合に、（ウィルス対策）の運転設定情報が表示された状態を示している。また、端末装置４において、ユーザが表示画面６０を操作し、編集モードを呼び出し、編集モードで図３の画面におけるアイコンの並びを変更することもできる。
【００５４】
図４（ａ）に示すように、いくつかの運転設定が表示されている状態において、ユーザが表示画面６０に触れて操作すると、その他の運転設定が図４（ｂ）のように表示されるので、ユーザは運転設定の全ての内容を確認することができる。そして、ユーザが運転設定の内容を確認した後で、その運転設定に対応した運転を開始する場合には、表示画面６０に表示された運転開始ボタン（ＯＮボタン）を操作すると、運転開始信号が室内機２ａに供給され、空気調和機２の運転（（ウィルス対策）に対応した運転）が開始される。また、表示画面６０に表示された運転停止ボタン（ＯＦＦボタン）を操作すると、運転停止信号が室内機２ａに供給され、空気調和機２の運転（（ウィルス対策）に対応した運転）が停止される。
【００５５】
＜本実施形態の空気調和システムの特徴＞
本実施形態の空気調和システム１では、空気調和機２の運転設定についての運転設定情報が空気調和サーバ３に記憶されており、その運転設定情報を空気調和サーバ３から端末装置４に取得して、その運転設定情報を端末装置４に記憶させることができる。したがって、ユーザが煩雑な設定を行わなくても、空気調和サーバ３から運転設定情報をダウンロードするだけで、運転設定情報を端末装置４に記憶させることができる。
【００５６】
本実施形態の空気調和システム１では、空気調和サーバ３から運転設定情報をダウンロードした後で、その運転設定情報が表示画面６０に表示された状態で、ユーザが表示画面６０に触れることで、その運転設定情報に対応した空気調和機２の運転を容易に開始できる。
【００５７】
本実施形態の空気調和システム１では、空気調和サーバ３から運転設定情報をダウンロードすると、その運転設定情報に対応した画像情報が表示画面６０に表示されるので、ユーザが運転設定情報の内容を把握しやすい。
【００５８】
本実施形態の空気調和システム１では、空気調和サーバ３から運転設定情報をダウンロードすると、複数の運転設定情報にそれぞれ対応した複数の画像情報が表示画面６０に同時に表示されるので、ユーザは複数の画像情報からいずれかを選択するだけで、その画像情報に対応した空気調和機２の運転を容易に開始できる。
【００５９】
（第２実施形態）
次に、第２実施形態の空気調和システムについて、詳細に説明する。
【００６０】
第２実施形態の空気調和システム１０１が、第１実施形態の空気調和システム１と大きく異なる点は、端末装置４が、表示画面６０に表示されたアイコンの並べ替えを行う点である。その他の構成は、第１実施形態と同様であって、詳細な説明は省略する。
【００６１】
空気調和サーバ３は、サーバ制御部５０と、空気調和機の運転設定についての運転設定情報を記憶するサーバ記憶部５２と、ランキング情報記憶部１５１と、新規情報記憶部１５２と、情報の通信を行う通信部５４とを有している。
【００６２】
サーバ記憶部５２は、空気調和機の複数の運転設定についての運転設定情報と、そのイメージに合ったアイコン（画像情報）とセットにして記憶している。
【００６３】
ランキング情報記憶部１５１は、空気調和機の運転設定についてのランキング情報を記憶する。ランキング情報は、他のユーザのダウンロード数や評価、コメント数、ダウンロードされた設定の使用回数などの項目のいずれか１つもしくは組み合わせに基づいて、サーバに記憶された空気調和機の運転設定のランキング付けを行ったものである。その他のランキング情報としては、ユーザ情報（年齢、性別、所在地、住環境、家族構成、空調要望など）、時間帯、所在地域の外部環境情報に応じて、今どの設定が適しているのかに基づいて、サーバに記憶された空気調和機の運転設定のランキング付けを行ったものである。例えば、他のユーザのダウンロード数や評価、コメント数、ダウンロードされた設定の使用回数などの項目のランキング情報は、空気調和機の運転設定情報をダウンロードしたユーザに基づくものであるのに対し、ユーザ情報のランキング情報は、空気調和機の運転設定情報をダウンロードしたユーザに基づかないものである。
【００６４】
新規情報記憶部１５２は、例えば、サーバ記憶部５２に記憶された運転設定情報（ランキング情報記憶部１５１に記憶されたランキング情報を含む）についての新規情報を記憶する。運転設定情報についての新規情報としては、新しい運転設定情報が追加されたことを示す情報や、これまでの運転設定情報がバージョンアップされたことを示す情報などが考えられる。ランキング情報についての新規情報としては、新しいランキング項目に基づくランキング情報が追加されたことを示す情報や、これまでのランキング情報が変更されたことを示す情報などが考えられる。このように、新規情報記憶部１５２には、新規情報が随時追加されるが、新規情報が追加されるたびに、通信部５４は、その新規情報を端末装置４に供給する。空気調和サーバ３から端末装置４に新規情報が供給されると、その新規情報は、表示画面６０に表示されるが、その表示方法は、例えば、ポップアップ表示やバーナー表示など、どのような表示方法であってもよい。また、通信部５４は、新規情報が追加されるたびに、その新規情報を端末装置４に供給するのでなく、過去の使用履歴やダウンロード履歴、GPS や登録情報に元づいて所在地地域やユーザーの適正、好みに適した運転設定情報についての新規情報や、ユーザがダウンロードした運転設定情報についての新規情報を端末装置４に供給してもよい。
【００６５】
端末装置４は、例えばスマートフォンなどのカメラ付き液晶端末であって、表示画面６０を有している。端末装置４は、制御部６１を有しており、制御部６１は、表示画面６０を制御する表示制御部６１ａを有している。制御部６１は、端末記憶部６２と、操作検知部６３と、ランキング情報記憶部１６１と、優先度決定部１６２と、ランキング項目選択部１６３と、ランキング対象選択部１６４と、情報の通信を行う通信部６５とに接続されている。
【００６６】
端末記憶部６２は、例えば空気調和サーバ３からダウンロードした運転設定情報やアイコン（画像情報）を記憶する。操作検知部６３は、ユーザが表示画面６０に触れて、運転設定の選択操作を行ったり、運転設定に対応した運転の開始操作を行った場合に、その操作を検知する。
【００６７】
ランキング情報記憶部１６１は、空気調和機の運転設定についてのランキング情報を空気調和サーバ３からダウンロードしたときに、そのランキング情報を記憶する。ランキング情報は、他のユーザのダウンロード数や評価、コメント数、ダウンロードされた設定の使用回数などの項目のいずれか１つもしくは組み合わせに基づいて、サーバに記憶された空気調和機の運転設定のランキング付けを行ったものである。その他のランキング情報としては、ユーザ情報（年齢、性別、所在地、住環境、家族構成、空調要望など）、時間帯、所在地域の外部環境情報に応じて、今どの設定が適しているのかに基づいて、サーバに記憶された空気調和機の運転設定のランキング付けを行ったものである。
【００６８】
優先度決定部１６２は、ランキング情報記憶部１６１に記憶されたランキング情報に基づいて、空気調和サーバ３から端末装置４にダウンロードした複数の運転設定情報（アイコン）の優先度を決定する。より詳しくは、優先度決定部１６２は、ユーザによって選択されたランキング項目およびランキング対象（ユーザ範囲や選択ユーザ情報）に基づくランキング情報に基づいて運転設定情報の優先度を決定する。したがって、優先度決定部１６２は、ユーザによって選択されたランキング項目の優先度は、その他のランキング項目より優先度が高いとするとともに、ユーザによって選択されたランキング対象（ユーザ範囲や選択ユーザ情報）は、その他のランキング対象（ユーザ範囲や選択ユーザ情報）より優先度が高いとして、複数の運転設定情報（アイコン）の優先度を決定する。本実施形態では、ユーザによって選択されたランキング項目についてのランキング情報のうち、ユーザによって選択されたランキング対象を対象とするランキング情報を、選択ランキング情報と称する。優先度決定部１６２は、空気調和サーバ３からダウンロードしたランキング情報に基づいて、優先度を決定するだけでなく、例えば自分の使用頻度に基づいて、優先度を決定する構成であってもよい。
【００６９】
ランキング項目選択部１６３は、ユーザが空気調和機の運転設定のランキング付けを行うときに、ユーザの操作にしたがってランキング付けを行うランキング項目を選択する。したがって、ユーザは、ランキング項目を選択することによって、ランキング情報記憶部１６１に記憶された種々のランキング項目に基づくランキング情報の中から、所定のランキング項目に基づく一部のランキング情報を選択することになる。ランキング項目としては、例えば他のユーザのダウンロード数や評価、コメント数、ダウンロードされた設定の使用回数などの項目や、ユーザ情報の項目がある。
【００７０】
ランキング対象選択部１６４は、ユーザが空気調和機の運転設定のランキング付けを行うときに、ユーザの操作にしたがってランキング付けの対象とするユーザ範囲や選択ユーザ情報を選択する。したがって、ユーザは、所定のランキング項目に基づく一部のランキング情報を選択した後において、さらに、ランキング対象（ユーザ範囲や選択ユーザ情報）を選択することによって、所定のランキング項目に基づく一部のランキング情報に含まれる選択ランキング情報を選択することになる。ランキング項目として、例えば他のユーザのダウンロード数を選択したときにおいて、選択可能なユーザ範囲としては、全ユーザ以外に、自分の住む地域のユーザや自分が住む地域と同じ気候条件下のユーザ、年齢、性別、空調の好みが似ているなどがあって、これによりユーザ範囲を絞ることができる。また、ランキング項目として、例えばユーザ情報を選択したときにおいて、選択可能な選択ユーザ情報としては、年齢、性別、所在地、住環境、家族構成、空調要望など）、時間帯、所在地域の外部環境情報などがあって、これによりユーザ情報を絞ることができる。
【００７１】
（アイコンの並べ替え動作）
本実施形態の空気調和システム１０１において、空気調和サーバ３からダウンロードした複数の運転設定に対応した複数のアイコンが表示された表示画面において、複数のアイコンを並び替える動作の手順について説明する。
【００７２】
まず、ユーザは、端末装置４を空気調和サーバ３に接続して、空気調和サーバ３から複数の運転設定情報をダウンロードする（Ｓ１０１）。空気調和サーバ３から複数の運転設定情報をダウンロードするとき、ユーザは、空気調和サーバ３に記憶された複数の運転設定情報を閲覧する。このとき、端末装置４の表示画面６０には、複数の運転設定情報がそれぞれに対応した複数のアイコンとして表示される。そして、ユーザが、アイコンを選択すると、それに対応した運転設定の詳細内容が表示される。ユーザは、運転設定の詳細内容を見たうえで、ほしい運転設定（運転設定情報やアイコン（画像情報））を空気調和サーバ３から端末装置４にダウンロードする。すると、空気調和サーバ３からダウンロードされた複数の運転設定情報やアイコンなどが、端末装置４の端末記憶部６２に記憶される。ユーザが空気調和サーバ３に記憶された複数の運転設定情報を閲覧するときに、アイコン（ダウンロードされる前のアイコン）がランキング情報に基づいて並び替え可能に構成されてもよい。
【００７３】
複数の運転設定情報やアイコンなどがダウンロードされると、ダウンロードした複数の運転設定に対応した複数のアイコンが端末装置４の表示画面６０に表示される（Ｓ１０２）。このとき、複数のアイコンは、例えば、ダウンロードした順序にしたがって並べて表示される。図７（ａ）の画面では、空気調和サーバ３から運転設定情報Ａ、Ｂ、Ｃ、Ｄ、Ｅがダウンロードされたときに、その運転設定情報Ａ、Ｂ、Ｃ、Ｄ、Ｅに対応したアイコンがダウンロードした順序にしたがって並べて表示されている。本実施形態では、第１実施形態と同様に、表示画面６０に表示されるアイコンは、運転設定情報のイメージに合ったビジュアルアイコンであるが、図７では、アイコンの図示を簡略化している。
【００７４】
ユーザが表示画面６０に表示された複数のアイコンをランキング情報に基づいて並び替える場合、ユーザは、空気調和サーバ３からランキング情報をダウンロードする（Ｓ１０３）。すると、空気調和サーバ３からダウンロードしたランキング情報が、端末装置４のランキング情報記憶部１６１に記憶される。ランキング情報のダウンロードが終了すると、ユーザは、表示画面６０に表示された並べ替えボタン１６０ａを押す（並べ替えボタン１６０ａが表示された部分が押す）。すると、空気調和機の運転設定のランキング付けを行うときに使用されるランキング項目を選択するランキング項目選択画面が表示画面６０に表示される。したがって、ユーザは、複数のランキング項目の中から、いずれかのランキング項目を選択する（Ｓ１０４）。図７（ｂ）のランキング項目選択画面では、ランキング項目として、ダウンロード数、ユーザ評価、コメント数、ユーザ情報のいずれかを選択可能な画面が図示されている。
【００７５】
ユーザによって、ランキング項目が選択されると（いずれかのランキング項目が表示された部分が押されると）、ランキング付けの対象とするランキング対象（ユーザ範囲や選択ユーザ情報）を選択するランキング対象選択画面が表示画面６０に表示される。したがって、ユーザは、ランキング対象を選択する（Ｓ１０５）。
【００７６】
例えば、ランキング対象選択画面において、ユーザによって、ダウンロード数、ユーザ評価、コメント数のいずれかのランキング項目が選択されると（いずれかのランキング項目が表示された部分が押されると）、ランキング付けの対象とするユーザ範囲を選択するユーザ範囲選択画面が表示画面６０に表示される。したがって、ユーザは、複数のユーザ範囲の中から、いずれかのユーザ範囲を選択する。図７（ｃ）のユーザ範囲選択画面では、ランキング項目として、例えば他のユーザのダウンロード数、ユーザ評価、コメント数のいずれかが選択されたときに、ユーザ範囲として、全ユーザ以外に、自分の住む地域、年齢、性別のいずれかによって、ユーザ範囲を絞ることができる画面が図示されている。詳細説明は省略するが、ユーザ範囲として、自分の住む地域、年齢、性別のいずれかを選択したとき（いずれかのユーザ範囲が表示された部分が押されると）、画面が切り替わって、選択したユーザ範囲についての詳細情報を入力するように構成される。例えば、自分の住む地域については、郵便番号などが入力されてもよいし、GPS により所在地を取得してもよいし、所在地域もしくは所在地域の類似気候地ユーザ間での使用頻度順など表示の切り替えを行えるものであってもよい。
【００７７】
一方、ランキング対象選択画面において、ユーザによって、ユーザ情報のランキング項目が選択されると（ランキング項目が表示された部分が押されると）、ランキング付けの対象とする選択ユーザ情報を選択する選択ユーザ情報選択画面が表示画面６０に表示される。したがって、ユーザは、複数の選択ユーザ情報の中から、いずれかの選択ユーザ情報を選択する。図７（ｄ）の選択ユーザ情報選択画面では、ランキング項目として、例えばユーザ情報が選択されたときに、選択ユーザ情報として、年齢、性別、所在地、時間帯のいずれかによって、ユーザ情報を絞ることができる画面が図示されている。詳細説明は省略するが、選択ユーザ情報として、年齢、性別、所在地、時間帯のいずれかを選択したとき（いずれかの選択ユーザ情報が表示された部分が押されると）、画面が切り替わって、選択した選択ユーザ情報についての詳細情報を入力するように構成される。例えば、所在地については、郵便番号などが入力されてもよいし、GPS により所在地を取得してもよい。選択ユーザ情報選択画面において、１つの選択ユーザ情報を選択するだけでなく、複数の選択ユーザ情報を選択可能に構成してもよい。
【００７８】
このように、ユーザによってランキング項目およびランキング対象（ユーザ範囲や選択ユーザ情報）が選択されると、優先度決定部１６２は、そのランキング項目およびランキング対象に基づくランキング情報（選択ランキング情報）に基づいて、表示画面６０に表示された複数のアイコンについての優先度を決定する（Ｓ１０６）。本実施形態では、優先度決定部１６２は、運転設定情報Ａ、Ｂ、Ｃ、Ｄ、Ｅについての優先度を、Ｃ、Ｅ、Ｂ、Ａ、Ｄの順序に決定した場合について説明する。
【００７９】
複数のアイコンについての優先度が決定されると、表示制御部６１ａは、その優先度に基づく順序に複数のアイコンを並べて表示画面６０に表示する（Ｓ１０７）。図７（ｄ）の画面では、複数のアイコンが並べ替えされて表示されたものであって、優先度決定部１６２において決定された優先度の順序に並べて表示画面６０に表示されている。このようにして、ユーザの選択したランキング項目およびランキング対象に基づくアイコンの並び替え動作が終了する。
【００８０】
＜本実施形態の空気調和システムの特徴＞
本実施形態の空気調和システム１０１では、第１実施形態と同様に、空気調和機２の運転設定についての運転設定情報が空気調和サーバ３に記憶されており、その運転設定情報を空気調和サーバ３から端末装置４に取得して、その運転設定情報を端末装置４に記憶させることができる。したがって、ユーザが煩雑な設定を行わなくても、空気調和サーバ３から運転設定情報をダウンロードするだけで、運転設定情報を端末装置４に記憶させることができる。
【００８１】
本実施形態の空気調和システム１０１では、端末装置４において、ダウンロードした複数の運転設定情報についての優先度を決定して、その決定した優先度に基づいて、複数の運転設定情報（アイコン）を並べて表示画面６０に表示できる。
【００８２】
本実施形態の空気調和システム１０１では、空気調和サーバ３からダウンロードしたランキング情報が全ユーザを対象とするものであったときに、そのランキング情報の中から、ユーザ範囲を絞ることによって、一部のユーザを対象とした選択ランキング情報によって決定した優先度に基づいて、複数の運転設定情報（アイコン）を並べて表示画面６０に表示できる。また、空気調和サーバ３からダウンロードしたランキング情報が全てのユーザ情報を対象とするものであったときに、そのランキング情報の中から、ユーザ情報を絞ることによって、一部の選択ユーザ情報を対象とした選択ランキング情報によって決定した優先度に基づいて、複数の運転設定情報（アイコン）を並べて表示画面６０に表示できる。
【００８３】
本実施形態の空気調和システム１０１では、空気調和サーバ３において、空気調和機の運転設定についての新規情報やランキング情報についての新規情報が追加されたときに、その新規情報が空気調和サーバ３から端末装置４に供給される。したがって、端末装置４では、空気調和サーバ３から取得した新規情報を表示画面６０に表示できる。
【００８４】
（第３実施形態）
次に、第３実施形態の空気調和システムについて、詳細に説明する。
【００８５】
第３実施形態の空気調和システム２０１が、第１実施形態の空気調和システム１と大きく異なる点は、端末装置４が、表示画面６０に表示されたアイコンの中からお奨めを表示する点である。その他の構成は、第１実施形態と同様であって、詳細な説明は省略する。
【００８６】
空気調和サーバ３は、サーバ制御部５０と、空気調和機の運転設定についての運転設定情報を記憶するサーバ記憶部５２と、ランキング情報記憶部１５１と、新規情報記憶部１５２と、情報の通信を行う通信部５４とを有している。
【００８７】
サーバ記憶部５２は、空気調和機の複数の運転設定についての運転設定情報と、そのイメージに合ったアイコン（画像情報）とセットにして記憶している。
【００８８】
ランキング情報記憶部１５１は、空気調和機の運転設定についてのランキング情報を記憶する。ランキング情報は、他のユーザのダウンロード数や評価、コメント数、ダウンロードされた設定の使用回数などの項目のいずれか１つもしくは組み合わせに基づいて、サーバに記憶された空気調和機の運転設定のランキング付けを行ったものである。その他のランキング情報としては、ユーザ情報（年齢、性別、所在地、住環境、家族構成、空調要望など）、時間帯、所在地域の外部環境情報に応じて、今どの設定が適しているのかに基づいて、サーバに記憶された空気調和機の運転設定のランキング付けを行ったものである。例えば、他のユーザのダウンロード数や評価、コメント数、ダウンロードされた設定の使用回数などの項目のランキング情報は、空気調和機の運転設定情報をダウンロードしたユーザに基づくものであるのに対し、ユーザ情報のランキング情報は、空気調和機の運転設定情報をダウンロードしたユーザに基づかないものである。
【００８９】
新規情報記憶部１５２は、例えば、サーバ記憶部５２に記憶された運転設定情報（ランキング情報記憶部１５１に記憶されたランキング情報を含む）についての新規情報を記憶する。運転設定情報についての新規情報としては、新しい運転設定情報が追加されたことを示す情報や、これまでの運転設定情報がバージョンアップされたことを示す情報などが考えられる。ランキング情報についての新規情報としては、新しいランキング項目に基づくランキング情報が追加されたことを示す情報や、これまでのランキング情報が変更されたことを示す情報などが考えられる。このように、新規情報記憶部１５２には、新規情報が随時追加されるが、新規情報が追加されるたびに、通信部５４は、その新規情報を端末装置４に供給する。空気調和サーバ３から端末装置４に新規情報が供給されると、その新規情報は、表示画面６０に表示されるが、その表示方法は、例えば、ポップアップ表示やバーナー表示など、どのような表示方法であってもよい。また、通信部５４は、新規情報が追加されるたびに、その新規情報を端末装置４に供給するのでなく、過去の使用履歴やダウンロード履歴、GPS や登録情報に元づいて所在地地域やユーザーの適正、好みに適した運転設定情報についての新規情報や、ユーザがダウンロードした運転設定情報についての新規情報を端末装置４に供給してもよい。
【００９０】
端末装置４は、例えばスマートフォンなどのカメラ付き液晶端末であって、表示画面６０を有している。端末装置４は、制御部６１を有しており、制御部６１は、表示画面６０を制御する表示制御部６１ａを有している。制御部６１は、端末記憶部６２と、操作検知部６３と、ランキング情報記憶部１６１と、お奨め決定部２６２と、ランキング項目選択部１６３と、ランキング対象選択部１６４と、情報の通信を行う通信部６５とに接続されている。
【００９１】
端末記憶部６２は、例えば空気調和サーバ３からダウンロードした運転設定情報やアイコン（画像情報）を記憶する。操作検知部６３は、ユーザが表示画面６０に触れて、運転設定の選択操作を行ったり、運転設定に対応した運転の開始操作を行った場合に、その操作を検知する。
【００９２】
ランキング情報記憶部１６１は、空気調和機の運転設定についてのランキング情報を空気調和サーバ３からダウンロードしたときに、そのランキング情報を記憶する。ランキング情報は、他のユーザのダウンロード数や評価、コメント数、ダウンロードされた設定の使用回数などの項目のいずれか１つもしくは組み合わせに基づいて、サーバに記憶された空気調和機の運転設定のランキング付けを行ったものである。その他のランキング情報としては、ユーザ情報（年齢、性別、所在地、住環境、家族構成、空調要望など）、時間帯、所在地域の外部環境情報に応じて、今どの設定が適しているのかに基づいて、サーバに記憶された空気調和機の運転設定のランキング付けを行ったものである。
【００９３】
お奨め決定部２６２は、ランキング情報記憶部１６１に記憶されたランキング情報に基づいて、空気調和サーバ３から端末装置４にダウンロードした複数の運転設定情報（アイコン）の中から、お奨めの運転設定情報（アイコン）を決定する。より詳しくは、お奨め決定部２６２は、ユーザによって選択されたランキング項目およびランキング対象（ユーザ範囲や選択ユーザ情報）に基づくランキング情報に基づいて運転設定情報のお奨めを決定する。したがって、お奨め決定部２６２は、ユーザによって選択されたランキング項目の優先度は、その他のランキング項目よりお奨め度が高いとするとともに、ユーザによって選択されたランキング対象（ユーザ範囲や選択ユーザ情報）は、その他のランキング対象（ユーザ範囲や選択ユーザ情報）よりお奨め度が高いとして、複数の運転設定情報（アイコン）の中からお奨めを決定する。本実施形態では、ユーザによって選択されたランキング項目についてのランキング情報のうち、ユーザによって選択されたランキング対象を対象とするランキング情報を、選択ランキング情報と称する。お奨め決定部２６２は、空気調和サーバ３からダウンロードしたランキング情報に基づいて、お奨めを決定するだけでなく、例えば自分の使用頻度に基づいて、お奨めを決定する構成であってもよい。
【００９４】
ランキング項目選択部１６３は、ユーザが空気調和機の運転設定のランキング付けを行うときに、ユーザの操作にしたがってランキング付けを行うランキング項目を選択する。したがって、ユーザは、ランキング項目を選択することによって、ランキング情報記憶部１６１に記憶された種々のランキング項目に基づくランキング情報の中から、所定のランキング項目に基づく一部のランキング情報を選択することになる。ランキング項目としては、例えば他のユーザのダウンロード数や評価、コメント数、ダウンロードされた設定の使用回数などの項目や、ユーザ情報の項目がある。
【００９５】
ランキング対象選択部１６４は、ユーザが空気調和機の運転設定のランキング付けを行うときに、ユーザの操作にしたがってランキング付けの対象とするユーザ範囲や選択ユーザ情報を選択する。したがって、ユーザは、所定のランキング項目に基づく一部のランキング情報を選択した後において、さらに、ランキング対象（ユーザ範囲や選択ユーザ情報）を選択することによって、所定のランキング項目に基づく一部のランキング情報に含まれる選択ランキング情報を選択することになる。ランキング項目として、例えば他のユーザのダウンロード数を選択したときにおいて、選択可能なユーザ範囲としては、全ユーザ以外に、自分の住む地域のユーザや自分が住む地域と同じ気候条件下のユーザ、年齢、性別、空調の好みが似ているなどがあって、これによりユーザ範囲を絞ることができる。また、ランキング項目として、例えばユーザ情報を選択したときにおいて、選択可能な選択ユーザ情報としては、年齢、性別、所在地、住環境、家族構成、空調要望など）、時間帯、所在地域の外部環境情報などがあって、これによりユーザ情報を絞ることができる。
【００９６】
（アイコンのお奨め表示動作）
本実施形態の空気調和システム２０１において、空気調和サーバ３からダウンロードした複数の運転設定に対応した複数のアイコンが表示された表示画面において、お奨めのアイコンを表示する動作の手順について説明する。
【００９７】
まず、ユーザは、端末装置４を空気調和サーバ３に接続して、空気調和サーバ３から複数の運転設定情報をダウンロードする（Ｓ２０１）。空気調和サーバ３から複数の運転設定情報をダウンロードするとき、ユーザは、空気調和サーバ３に記憶された複数の運転設定情報を閲覧する。このとき、端末装置４の表示画面６０には、複数の運転設定情報がそれぞれに対応した複数のアイコンとして表示される。そして、ユーザが、アイコンを選択すると、それに対応した運転設定の詳細内容が表示される。ユーザは、運転設定の詳細内容を見たうえで、ほしい運転設定（運転設定情報やアイコン（画像情報））を空気調和サーバ３から端末装置４にダウンロードする。すると、空気調和サーバ３からダウンロードされた複数の運転設定情報やアイコンなどが、端末装置４の端末記憶部６２に記憶される。ユーザが空気調和サーバ３に記憶された複数の運転設定情報を閲覧するときに、アイコン（ダウンロードされる前のアイコン）がランキング情報に基づいて並び替え可能に構成されてもよい。
【００９８】
複数の運転設定情報やアイコンなどがダウンロードされると、ダウンロードした複数の運転設定に対応した複数のアイコンが端末装置４の表示画面６０に表示される（Ｓ２０２）。このとき、複数のアイコンは、例えば、ダウンロードした順序にしたがって並べて表示される。図１０（ａ）の画面では、空気調和サーバ３から運転設定情報Ａ、Ｂ、Ｃ、Ｄ、Ｅがダウンロードされたときに、その運転設定情報Ａ、Ｂ、Ｃ、Ｄ、Ｅに対応したアイコンがダウンロードした順序にしたがって並べて表示されている。本実施形態では、第１実施形態と同様に、表示画面６０に表示されるアイコンは、運転設定情報のイメージに合ったビジュアルアイコンであるが、図１０では、アイコンの図示を簡略化している。
【００９９】
ユーザが表示画面６０に表示された複数のアイコンについて、ランキング情報に基づいてお奨め表示を行う場合、ユーザは、空気調和サーバ３からランキング情報をダウンロードする（Ｓ２０３）。すると、空気調和サーバ３からダウンロードしたランキング情報が、端末装置４のランキング情報記憶部１６１に記憶される。ランキング情報のダウンロードが終了すると、ユーザは、表示画面６０に表示されたお奨めボタン２６０ａを押す（お奨めボタン２６０ａが表示された部分を押す）。すると、空気調和機の運転設定のお奨め表示を行うときに使用されるランキング項目を選択するランキング項目選択画面が表示画面６０に表示される。したがって、ユーザは、複数のランキング項目の中から、いずれかのランキング項目を選択する（Ｓ２０４）。図１０（ｂ）のランキング項目選択画面では、ランキング項目として、ダウンロード数、ユーザ評価、コメント数、ユーザ情報のいずれかを選択可能な画面が図示されている。
【０１００】
ユーザによって、ランキング項目が選択されると（いずれかのランキング項目が表示された部分が押されると）、ランキング付けの対象とするランキング対象（ユーザ範囲や選択ユーザ情報）を選択するランキング対象選択画面が表示画面６０に表示される。したがって、ユーザは、ランキング対象を選択する（Ｓ２０５）。
【０１０１】
例えば、ランキング対象選択画面において、ユーザによって、ダウンロード数、ユーザ評価、コメント数のいずれかのランキング項目が選択されると（いずれかのランキング項目が表示された部分が押されると）、ランキング付けの対象とするユーザ範囲を選択するユーザ範囲選択画面が表示画面６０に表示される。したがって、ユーザは、複数のユーザ範囲の中から、いずれかのユーザ範囲を選択する。図１０（ｃ）のユーザ範囲選択画面では、ランキング項目として、例えば他のユーザのダウンロード数、ユーザ評価、コメント数のいずれかが選択されたときに、ユーザ範囲として、全ユーザ以外に、自分の住む地域、年齢、性別のいずれかによって、ユーザ範囲を絞ることができる画面が図示されている。詳細説明は省略するが、ユーザ範囲として、自分の住む地域、年齢、性別のいずれかを選択したとき（いずれかのユーザ範囲が表示された部分が押されると）、画面が切り替わって、選択したユーザ範囲についての詳細情報を入力するように構成される。例えば、自分の住む地域については、郵便番号などが入力されてもよいし、GPS により所在地を取得してもよいし、所在地域もしくは所在地域の類似気候地ユーザ間での使用頻度順など表示の切り替えを行えるものであってもよい。
【０１０２】
一方、ランキング対象選択画面において、ユーザによって、ユーザ情報のランキング項目が選択されると（ランキング項目が表示された部分が押されると）、ランキング付けの対象とする選択ユーザ情報を選択する選択ユーザ情報選択画面が表示画面６０に表示される。したがって、ユーザは、複数の選択ユーザ情報の中から、いずれかの選択ユーザ情報を選択する。図１０（ｄ）の選択ユーザ情報選択画面では、ランキング項目として、例えばユーザ情報が選択されたときに、選択ユーザ情報として、年齢、性別、所在地、時間帯のいずれかによって、ユーザ情報を絞ることができる画面が図示されている。詳細説明は省略するが、選択ユーザ情報として、年齢、性別、所在地、時間帯のいずれかを選択したとき（いずれかの選択ユーザ情報が表示された部分が押されると）、画面が切り替わって、選択した選択ユーザ情報についての詳細情報を入力するように構成される。例えば、所在地については、郵便番号などが入力されてもよいし、GPS により所在地を取得してもよい。選択ユーザ情報選択画面において、１つの選択ユーザ情報を選択するだけでなく、複数の選択ユーザ情報を選択可能に構成してもよい。
【０１０３】
このように、ユーザによってランキング項目およびランキング対象（ユーザ範囲や選択ユーザ情報）が選択されると、お奨め決定部２６２は、そのランキング項目およびランキング対象に基づくランキング情報（選択ランキング情報）に基づいて、表示画面６０に表示された複数のアイコンの中から、お奨めを決定する（Ｓ１０６）。本実施形態では、お奨め決定部２６２は、運転設定情報Ａ、Ｂ、Ｃ、Ｄ、Ｅの中から、Ｂ、Ｃをお奨めアイコン（お奨め情報）として決定した場合について説明する。
【０１０４】
お奨めのアイコンが決定されると、表示制御部６１ａは、そのお奨めアイコンを、他のアイコンと識別できるように表示画面６０に表示する（Ｓ２０７）。図１０（ｅ）の画面では、お奨めアイコンが他のアイコンと識別できるように、お奨めアイコンＢ、Ｃの太枠によって囲まれて表示画面６０に表示されている。このようにして、ユーザの選択したランキング項目およびユーザ範囲に基づくお奨めアイコンの表示動作が終了する。
【０１０５】
＜本実施形態の空気調和システムの特徴＞
本実施形態の空気調和システム２０１では、第１実施形態と同様に、空気調和機２の運転設定についての運転設定情報が空気調和サーバ３に記憶されており、その運転設定情報を空気調和サーバ３から端末装置４に取得して、その運転設定情報を端末装置４に記憶させることができる。したがって、ユーザが煩雑な設定を行わなくても、空気調和サーバ３から運転設定情報をダウンロードするだけで、運転設定情報を端末装置４に記憶させることができる。
【０１０６】
本実施形態の空気調和システム２０１では、端末装置４において、ダウンロードしたランキング情報に基づいて、表示画面６０に表示された複数のアイコンの中から、お奨めアイコンを決定して、そのお奨めアイコンを他のアイコンと識別できるように表示画面６０に表示できる。
【０１０７】
本実施形態の空気調和システム２０１では、空気調和サーバ３からダウンロードしたランキング情報が全ユーザを対象とするものであったときに、そのランキング情報の中から、ユーザ範囲を絞ることによって、一部のユーザを対象とした選択ランキング情報によって決定したお奨めに基づいて、複数の運転設定情報（アイコン）の中から、お奨めアイコンを決定して、そのお奨めアイコンが他のアイコンと識別できるように表示画面６０に表示できる。また、空気調和サーバ３からダウンロードしたランキング情報が全てのユーザ情報を対象とするものであったときに、そのランキング情報の中から、ユーザ情報を絞ることによって、一部の選択ユーザ情報を対象とした選択ランキング情報によって決定したお奨めに基づいて、複数の運転設定情報（アイコン）の中から、お奨めアイコンを決定して、そのお奨めアイコンが他のアイコンと識別できるように表示画面６０に表示できる。
【０１０８】
したがって、本実施形態の空気調和システム１０１では、例えば、空気調和サーバ３から端末装置４にダウンロードした運転設定情報（アイコン）として、花粉対策設定パック（花粉対策用の運転設定情報）がある場合において、天気予報にてスギ花粉の飛散量が多い地域に対しては、花粉対策設定パックを推奨することができる。また、空気調和サーバ３から端末装置４にダウンロードした運転設定情報（アイコン）として、快眠設定パック（快眠設定用の運転設定情報）がある場合において、夏、23：00 に外気温が高い場合は、快眠設定パックを推奨することができる。また、その運転設定を現在使用しているユーザ数を表示したり、ユーザ数の多い運転設定を推奨することもできる。
【０１０９】
本実施形態の空気調和システム１０１では、空気調和サーバ３において、空気調和機の運転設定についての新規情報やランキング情報についての新規情報が追加されたときに、その新規情報が空気調和サーバ３から端末装置４に供給される。したがって、端末装置４では、空気調和サーバ３から取得した新規情報を表示画面６０に表示できる。
【０１１０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１１１】
上述の第１−第３実施形態では、空気調和サーバの記憶部に記憶される運転設定として、（爽やか除湿）および（ウィルス対策）の運転設定を例示しているが、これに限定されず、空気調和サーバの記憶部に記憶される運転設定の内容は、シーン、季節、人、地域ごとなど様々な設定条件の空調運転プログラムであれば、どのような運転設定内容であってもよい。また、あらかじめ設定された運転設定情報としては、運転モード（冷房運転・暖房運転・送風運転等）、設定温度、設定湿度、風量、風向、入タイマー、切タイマー等の設定に限らず、この一部の設定であってもよいし、その他の設定を含んでもよい。また、空気調和サーバの記憶部に記憶される運転設定として、空気調和機だけの運転設定でなく、例えば、空気調和機と空気調和機以外の装置（例えば、照明器具）との機器連動の設定であってもよい。
【０１１２】
上述の第２実施形態では、端末装置において複数のアイコンの並べ替えを行う場合について説明し、第３実施形態では、端末装置においてお奨めアイコンを表示する場合について説明したが、端末装置において、複数のアイコンの並べ替えを行うとともに、お奨めアイコンを表示するものであってもよい。
【０１１３】
上述の第２および第３実施形態では、端末装置において複数のアイコンの並べ替えを行うときやお奨めアイコンを表示するときに、ランキング項目およびランキング対象を選択する場合について説明したが、ランキング項目だけを選択して、ランキング対象を選択しなくてもよい。
【０１１４】
上述の第３実施形態では、お奨めアイコンが太枠によって囲まれて他のアイコンと識別できるように表示画面に表示されているが、お奨めアイコンが他のアイコンと識別できるように表示画面に表示される範囲において、お奨めアイコンの表示方法は変更してよい。したがって、図１１（ａ）に示すように、お奨めアイコンＢ、Ｃに対して、推奨の文字が付されてもよいし、図１１（ｂ）に示すように、お奨めアイコンＢ、Ｃが、おすすめ枠の内側に表示されてもよい。その他、例えば、お奨めアイコンがハイライト表示されたり、点滅表示されてもよいし、アイコンが大きく表示されてもよい。
【０１１５】
また、上述の第１−第３実施形態では、複数の運転設定情報およびビジュアルアイコンが端末装置の記憶部に記憶されている場合に、その複数のビジュアルアイコンの全てが端末装置の表示画面に同時に表示される場合を説明したが、これに限定されず、端末装置の記憶部に記憶された複数の運転設定情報およびビジュアルアイコンの一部のものだけが端末装置の表示画面に同時に表示されてもよい。
【０１１６】
また、上述の第１−第３実施形態では、空気調和サーバの記憶部が、運転設定情報とともにビジュアルアイコン（画像情報）を記憶しているが、これに限らず、空気調和サーバの記憶部が運転設定情報だけを記憶していてもよい。このとき、端末装置の記憶部に記憶された運転設定情報が、文字などによって端末装置の表示画面に表示されてもよい。したがって、第２実施形態において、運転設定情報を示す文字が、優先度に基づいて並べて表示画面に表示されてもよいし、第３実施形態において、お奨めの運転設定情報を示す文字が、他の運転設定情報を示す文字と識別できるように表示画面に表示されてもよい。
【０１１７】
また、上述の第１実施形態では、空気調和サーバから端末装置にダウンロードした運転設定を変更しないで、その運転設定に対応した運転を開始する場合を説明したが、これに限らず、空気調和サーバから端末装置にダウンロードした運転設定を、端末装置において変更可能であってもよい。例えば、ユーザによって選択されたビジュアルアイコンに対応した運転設定情報が端末装置の表示画面にされた状態で、ユーザがいずれかの運転設定が表示された部分を押すと、その運転設定を変更する画面に切り換えることが考えられる。
【０１１８】
また、上述の第１−第３実施形態では、端末装置３として、スマートフォンなどのカメラ付き液晶端末が使用される場合について説明したが、表示画面および通信手段を備えた端末装置であれば、他の端末装置であってもよい。したがって、端末装置３が、空気調和機の運転操作を行うリモコンであってもよい。
【産業上の利用可能性】
【０１１９】
本発明を利用すれば、ユーザが煩雑な設定を行わなくても所定の運転設定に対応した空気調和機の運転を開始できる。
【符号の説明】
【０１２０】
１  空調システム
２  室内機
３  空気調和サーバ
４  端末装置
５２  サーバ記憶部（サーバ記憶手段）
６０  表示画面
６１  制御部
６１ａ  表示制御部（表示制御手段）
６２  端末記憶部（端末記憶手段）
６５  通信手段
１５１  ランキング情報記憶手段
１５２  新規情報記憶部（新規情報記憶手段）
１６２  優先度決定部（優先度決定手段）
１６３  ランキング項目選択部
１６４  ランキング対象選択部（選択手段）
２６２  お奨め決定部（お奨め決定手段）
【図１】
2014224671.tif 000003
【図２】
2014224671.tif 000004
【図３】
2014224671.tif 000005
【図４】
2014224671.tif 000006
【図５】
2014224671.tif 000007
【図６】
2014224671.tif 000008
【図７】
2014224671.tif 000009
【図８】
2014224671.tif 000010
【図９】
2014224671.tif 000011
【図１０】
2014224671.tif 000012
【図１１】
2014224671.tif 000013